(57)【要約】【課題】 開いた位置又は閉じた位置における扉の固定を容易に解除することができる扉固定装置を提供する。【解決手段】 開いた状態又は閉じた状態の扉１に対応する位置に固定装置３を配設し、該固定装置は、進退不能の支持筒５内には前端１１ａを該支持筒から常時前方に突出させた作用杆１１を前後方向に進退自在に摺嵌し、該支持筒には磁石１３を前後方向に移動自在に外設し、該支持筒内には該作用杆の前端を該磁石から常時前方に突出させると共に該作用杆が後方に押されたときには該作用杆を元の位置まで前方に押し戻す第一ばね１５を備えさせ、該支持筒には該磁石を常時作用杆の前端よりも後方に位置させると共に該磁石が後方に押されたときには該磁石を前方に押し戻す第二ばね２３を備えさせてなり、扉には前記磁石により吸着される被吸着体２５を備えさせる。【選択図】図１
0003118701.tif 000002
【実用新案登録請求の範囲】
【請求項１】
開いた状態又は閉じた状態の扉に対応する位置に固定装置を配設し、
該固定装置は、進退不能の支持筒を前後方向に配設し、該支持筒内には前端を該支持筒から常時前方に突出させた作用杆を前後方向に進退自在に摺嵌し、該支持筒には磁石を前後方向に移動自在に外設し、該支持筒内には該作用杆の前端を該磁石から常時前方に突出させると共に該作用杆が後方に押されたときには該作用杆を該作用杆の前端が該磁石から前方に突出した位置まで前方に押し戻す第一ばねを備えさせ、該支持筒には該磁石を常時作用杆の前端よりも後方に位置させると共に該磁石が後方に押されたときには該磁石を前方に押し戻す第二ばねを備えさせてなり、
一方、扉には前記固定装置における磁石により吸着される被吸着体を備えさせたことを特徴とする扉固定装置。
【請求項２】
開いた状態又は閉じた状態の扉に対応する位置に固定装置を配設し、
該固定装置は、進退不能の支持筒を前後方向に配設し、該支持筒内には前端を該支持筒から常時前方に突出させた作用杆を前後方向に進退自在に摺嵌し、該支持筒には被吸着体を前後方向に移動自在に外設し、該支持筒内には該作用杆の前端を該被吸着体から常時前方に突出させると共に該作用杆が後方に押されたときには該作用杆を該作用杆の前端が該被吸着体から前方に突出した位置まで前方に押し戻す第一ばねを備えさせ、該支持筒には該被吸着体を常時作用杆の前端よりも後方に位置させると共に該被吸着体が後方に押されたときには該被吸着体を前方に押し戻す第二ばねを備えさせてなり、
一方、扉には前記固定装置における被吸着体を吸着する磁石を備えさせたことを特徴とする扉固定装置。
【考案の詳細な説明】
【技術分野】
【０００１】
本考案は、扉固定装置に関するものであり、例えば建物、家具等における扉を開いた状態又は閉じた状態の所定の位置に解除自在に固定するための扉固定装置に係るものである。
【背景技術】
【０００２】
扉固定装置としては、実開平２−１３７４７３号公報に示すもの（以下「従来の扉固定装置」という。）が既に知られている。  
【０００３】
従来の扉固定装置は、ドア側に固定される本体と、壁側に固定される受体とよりなり、該本体の先端に磁石が取り付けられ、該受体の少なくとも一部が鉄製であることを特徴とするものである。
【０００４】
従来の扉固定装置においては、ドアを壁に近接する位置まで開いたときには、ドア側に固定された本体の磁石が壁側の鉄製の受体を吸着することにより、ドアが開いた状態の所定の位置に固定される。
【０００５】
しかるに、従来の扉固定装置においては、開いた状態の所定の位置に固定されたドアを閉じる際には、磁石の吸着力に抗してドアを壁側の受体から引き離さなければならない。この作業は、力の弱い子供や高齢者には困難である。
【特許文献１】実開平２−１３７４７３号公報
【考案の開示】
【考案が解決しようとする課題】
【０００６】
本考案は、従来の扉固定装置における上述の問題を解決し、開いた位置又は閉じた位置における扉の固定を容易に解除することができるようにしようとしてなされたものである。
【課題を解決するための手段】
【０００７】
上記課題を解決するために、本考案は、下記の扉固定装置を提供する。
【０００８】
（１） 開いた状態又は閉じた状態の扉に対応する位置に固定装置を配設し、
該固定装置は、進退不能の支持筒を前後方向に配設し、該支持筒内には前端を該支持筒から常時前方に突出させた作用杆を前後方向に進退自在に摺嵌し、該支持筒には磁石を前後方向に移動自在に外設し、該支持筒内には該作用杆の前端を該磁石から常時前方に突出させると共に該作用杆が後方に押されたときには該作用杆を該作用杆の前端が該磁石から前方に突出した位置まで前方に押し戻す第一ばねを備えさせ、該支持筒には該磁石を常時作用杆の前端よりも後方に位置させると共に該磁石が後方に押されたときには該磁石を前方に押し戻す第二ばねを備えさせてなり、
一方、扉には前記固定装置における磁石により吸着される被吸着体を備えさせたことを特徴とする扉固定装置（請求項１）。
【０００９】
（２）   開いた状態又は閉じた状態の扉に対応する位置に固定装置を配設し、
該固定装置は、進退不能の支持筒を前後方向に配設し、該支持筒内には前端を該支持筒から常時前方に突出させた作用杆を前後方向に進退自在に摺嵌し、該支持筒には被吸着体を前後方向に移動自在に外設し、該支持筒内には該作用杆の前端を該被吸着体から常時前方に突出させると共に該作用杆が後方に押されたときには該作用杆を該作用杆の前端が該被吸着体から前方に突出した位置まで前方に押し戻す第一ばねを備えさせ、該支持筒には該被吸着体を常時作用杆の前端よりも後方に位置させると共に該被吸着体が後方に押されたときには該被吸着体を前方に押し戻す第二ばねを備えさせてなり、
一方、扉には前記固定装置における被吸着体を吸着する磁石を備えさせたことを特徴とする扉固定装置（請求項２）。
【００１０】
本出願において、「前」とは固定装置から開いた状態又は閉じた状態の扉に向かう方向をいい、「後」とは「前」と反対の方向をいうものとする。
【００１１】
［考案の作用］
［請求項１の考案］
扉を開いた状態又は閉じた状態に固定する際には、扉を固定装置の方向に動かし（図１参照）、扉の被吸着体を支持筒から前方に突出している作用杆に当接させて該作用杆を後退させることにより扉の被吸着体を固定装置の磁石に吸着させる。磁石の前面は作用杆の前端と同一面に位置し、該磁石は扉の被吸着体を確実に吸着する。即ち、扉は開いた状態又は閉じた状態に固定される。図２参照。
【００１２】
扉の固定を解除する際には、扉を更に後方に押せばよい。しかるときは、作用杆は第一ばねの力に抗して後退し、磁石は第二ばねの力に抗して後退し、第一ばねと第二ばねはそれぞれ圧縮される。従って、第一ばねは作用杆を前方に押し、第二ばねは磁石を前方に押す。即ち、扉は第一ばねと第二ばねとにより前方に押される。しかして、磁石は扉の被吸着体を吸着しているのであるが、作用杆は、第一ばねにより、該作用杆の前端が該磁石から前方に突出した位置まで前方に押し戻される。その結果、扉は磁石の吸着力に抗して作用杆により突き出され、固定装置を離れる。
【００１３】
［請求項２の考案］
請求項２の考案は、請求項１の考案における磁石と被吸着体とを相互に入れ替えたものであり、請求項１の考案と同様の作用をなす。
【考案の効果】
【００１４】
［請求項１の考案］
扉を固定装置の方向に動かし、扉により固定装置を軽く押すだけで、扉を開いた状態又は閉じた状態に固定することができる。
【００１５】
扉の固定を解除する際には、扉を更に後方に軽く押すだけで、扉は固定装置を離れる。従って、力の弱い子供や高齢者でも扉の固定を容易に解除することができる。
【００１６】
［請求項２の考案］
請求項２の考案は、請求項１の考案における磁石と被吸着体とを相互に入れ替えたものであり、請求項１の考案と同様の効果を発揮する。
【考案を実施するための最良の形態】
【００１７】
符号１に示すものは建物、家具等における扉であり、符号３に示すものは固定装置である。
【００１８】
固定装置３は、 開いた状態又は閉じた状態の扉１に対応する位置に配設する。
【００１９】
即ち、固定装置３は、例えば、床面、壁面等に取り付けられる。図４に示す事例においては、固定装置３は壁４面に取り付けられている。
【００２０】
次に、固定装置３の構成について説明する。
【００２１】
進退不能の支持筒５を前後方向に配設する。
【００２２】
図１〜図３に示す事例においては、支持筒５は取付具７、９を介して床面に固定されている。
【００２３】
図４に示す事例においては、支持筒５は支持体１０を介して壁４面に固定されている。
【００２４】
支持筒５内には前端１１ａを該支持筒５から常時前方に突出させた作用杆１１を前後方向に進退自在に摺嵌する。
【００２５】
支持筒５には磁石１３を前後方向に移動自在に外設する。磁石１３は、好ましくは永久磁石とする。磁石１３は、一例として、中央孔１３ａを備え、該中央孔１３ａを作用杆１１に摺嵌する。
【００２６】
支持筒５内には第一ばね１５を備えさせる。図示の事例においては、作用杆１１の後端１１ｂに細径軸１７を突設し、支持筒５内には支承体１９を設け、該支承体１９に支承孔２１を形成し、該細径軸１７を支承孔２１に進退自在に支承させ、該第一ばね１５を作用杆１１の後端１１ｂと支承体１９との間に配設している。
【００２７】
第一ばね１５は、作用杆１１の前端１１ａを磁石１３から常時前方に突出させると共に該作用杆１１が後方に押されたときには該作用杆１１を該作用杆１１の前端１１ａが該磁石１３から前方に突出した位置まで前方に押し戻すものである。
【００２８】
支持筒５には第二ばね２３を備えさせる。第二ばね２３は、一例として、磁石１３と支持筒５又は支持筒５の取付具７との間に配設する。
【００２９】
第二ばね２３は、磁石１３を常時作用杆１１の前端１１ａよりも後方に位置させると共に該磁石１３が後方に押されたときには該磁石１３を前方に押し戻すものである。
【００３０】
固定装置３は以上の如く構成される。
【００３１】
一方、扉１には固定装置３における磁石１３により吸着される被吸着体２５を備えさせる。
【００３２】
被吸着体２５は、磁石１３により吸着されるものであれば如何なるものであってもよい。被吸着体２５としては、好ましくは鉄片が用いられるが、磁石１３に吸着される磁石であっても差し支えない。
【００３３】
なお、前記事例における磁石１３と被吸着体２５とを相互に入れ替えてもよい。即ち、固定装置３には磁石１３に代えて被吸着体を取り付け、扉１には被吸着体２５に代えて磁石を取付けても差し支えない。
【図面の簡単な説明】
【００３４】
【図１】本考案による扉固定装置の一例において、扉を固定装置の方向に動かしている状態を示す断面図である。
【図２】同上扉固定装置において、扉を固定した状態を示す断面図である。
【図３】同上扉固定装置において、扉の固定を解除しつつある状態を示す断面図である。
【図４】本考案による扉固定装置の別の一例を示す側面図である。
【符号の説明】
【００３５】
１  扉
３   固定装置
４   壁
５   支持筒
７    取付具
９   取付具
１０   支持体
１１   作用杆
１１ａ   前端
１１ｂ  後端
１３   磁石
１３ａ  中央孔
１５   第一ばね
１７   細径軸
１９   支承体
２１   支承孔
２３   第二ばね
２５   被吸着体
【図１】
0003118701.tif 000003
【図２】
0003118701.tif 000004
【図３】
0003118701.tif 000005
【図４】
0003118701.tif 000006